(57)【特許請求の範囲】
【請求項１】
圧縮機（11）と熱源側熱交換器（13）と膨張機構（15）と利用側熱交換器（14）とを有する冷媒回路（2）を備え、該冷媒回路（2）において上記熱源側熱交換器（13）が放熱器となり且つ上記利用側熱交換器（14）が蒸発器となるように冷媒が循環する冷却運転と、上記冷媒回路（2）において上記利用側熱交換器（14）が放熱器となり且つ上記熱源側熱交換器（13）が蒸発器となるように冷媒が循環する加熱運転とが切換可能に構成された冷凍装置であって、
上記冷却運転及び上記加熱運転のうちの少なくとも一方の運転の際に、放熱器となる熱交換器（13,14）で放熱した高圧冷媒を冷却する吸熱側の第１伝熱部（21a）と発熱側の第２伝熱部（21b）とを有するペルチェ素子（21）と、
上記高圧冷媒の一部を分岐させた高圧圧力状態の分岐冷媒に上記第２伝熱部（21b）から放出される熱を吸収させて上記圧縮機（11）の吐出側に戻す冷却機構（30）とを備えている
ことを特徴とする冷凍装置。
【請求項２】
請求項１において、
上記冷媒回路（2）は、上記冷却運転及び上記加熱運転のいずれの際にも、上記高圧冷媒が上記第１伝熱部（21a）によって冷却され、上記冷却機構（30）によって上記高圧冷媒の一部が分岐されて上記第２伝熱部（21b）から放出される熱を吸収して上記圧縮機（11）の吐出側に戻されるように構成されている
ことを特徴とする冷凍装置。
【請求項３】
圧縮機（11）と放熱器（74）と膨張機構（15）と蒸発器（76）とを有する冷媒回路（72）を備えた冷凍装置であって、
上記放熱器（74）で放熱した高圧冷媒を冷却する吸熱側の第１伝熱部（21a）と発熱側の第２伝熱部（21b）とを有するペルチェ素子（21）と、
上記高圧冷媒の一部を分岐させた高圧圧力状態の分岐冷媒に上記第２伝熱部（21b）から放出される熱を吸収させて上記圧縮機（11）の吐出側に戻す冷却機構（30）とを備えている
ことを特徴とする冷凍装置。
【請求項４】
請求項１乃至３のいずれか１つにおいて、
上記冷却機構（30）は、上記分岐冷媒を上記圧縮機（11）の吐出側に戻すポンプ機構（33）を備えている
ことを特徴とする冷凍装置。
【請求項５】
請求項１乃至３のいずれか１つにおいて、
上記冷却機構（30）は、上記圧縮機（11）の吐出側に設けられ、上記圧縮機（11）の吐出冷媒を加速して噴射するノズル部（51a）を有し、該ノズル部（51a）から噴射される冷媒によって上記分岐冷媒が吸引されるように構成されたエジェクタ機構（50）を備えている
ことを特徴とする冷凍装置。
【請求項６】
請求項１乃至５のいずれか１つにおいて、
上記冷媒回路（2,72）には、上記冷媒として二酸化炭素が充填されている
ことを特徴とする冷凍装置。
【発明の詳細な説明】
【技術分野】
【０００１】
本発明は、冷凍装置に関し、特に、効率向上対策に係るものである。
【背景技術】
【０００２】
従来、蒸気圧縮式の冷凍サイクルを行う冷媒回路を備えた空調機において、直流電流の供給によって吸熱側と発熱側とが形成されるペルチェ素子を用いて空調機の能力及び効率の向上を図ったものがある（例えば、下記特許文献１，２参照）。特許文献１では、冷媒回路の凝縮器と膨張機構との間にペルチェ素子を有する補助熱交換器を設け、凝縮後の高圧冷媒をペルチェ素子によって冷却することによって冷房能力を向上させている。また、特許文献２では、冷媒回路の室外熱交換器にペルチェ素子の一方の伝熱部を熱的に接続し、冷房運転の際には室外熱交換器から吸熱する一方、暖房運転の際には室外熱交換器に放熱するようにペルチェ素子に直流電流を供給して室外熱交換器を補助することによって冷却効率及び加熱効率の向上を図っている。
【先行技術文献】
【特許文献】
【０００３】
【特許文献１】特開平１０−３５２７０号公報
【特許文献２】特開平１０−３８４０９号公報
【発明の概要】
【発明が解決しようとする課題】
【０００４】
ところで、ペルチェ素子は、発熱側から十分に放熱できなければ、吸熱側において冷却対象から十分に吸熱して冷却することができない。また、逆に、ペルチェ素子は、吸熱側から吸収する熱が確保されなければ、発熱側において加熱対象に十分に放熱して加熱することができない。
【０００５】
しかしながら、上記特許文献１，２では、ペルチェ素子の一方の伝熱部の接続先についてのみ言及され、他方の伝熱部の接続先については何ら言及されていない。そのため、ペルチェ素子を用いても、実際には冷却対象を十分に冷却できない又は加熱対象を十分に加熱できず、空調機の能力及び効率の向上を図ることができなかった。
【０００６】
本発明は、かかる点に鑑みてなされたものであり、その目的は、冷凍装置の能力及び効率の向上を図ることにある。
【課題を解決するための手段】
【０００７】
第１の発明は、圧縮機（11）と熱源側熱交換器（13）と膨張機構（15）と利用側熱交換器（14）とを有する冷媒回路（2）を備え、該冷媒回路（2）において上記熱源側熱交換器（13）が放熱器となり且つ上記利用側熱交換器（14）が蒸発器となるように冷媒が循環する冷却運転と、上記冷媒回路（2）において上記利用側熱交換器（14）が放熱器となり且つ上記熱源側熱交換器（13）が蒸発器となるように冷媒が循環する加熱運転とが切換可能に構成された冷凍装置であって、上記冷却運転及び上記加熱運転のうちの少なくとも一方の運転の際に、放熱器となる熱交換器（13,14）で放熱した高圧冷媒を冷却する吸熱側の第１伝熱部（21a）と発熱側の第２伝熱部（21b）とを有するペルチェ素子（21）と、上記高圧冷媒の一部を分岐させた高圧圧力状態の分岐冷媒に上記第２伝熱部（21b）から放出される熱を吸収させて上記圧縮機（11）の吐出側に戻す冷却機構（30）とを備えている。
【０００８】
第１の発明では、上記冷却運転及び上記加熱運転のうちの少なくとも一方の運転の際に、放熱器となる熱交換器（13,14）で放熱した高圧冷媒は、ペルチェ素子（21）の吸熱側の第１伝熱部（21a）に吸熱されて冷却される。同時に、上記高圧冷媒の一部は、冷却機構（30）によって分岐されてペルチェ素子（21）の発熱側の第２伝熱部（21b）から吸熱することによって加熱されると共に該第２伝熱部（21b）を冷却して、圧縮機（11）の吐出側に戻される。
【０００９】
第２の発明は、第１の発明において、上記冷媒回路（2）は、上記冷却運転及び上記加熱運転のいずれの際にも、上記高圧冷媒が上記第１伝熱部（21a）によって冷却され、上記冷却機構（30）によって上記高圧冷媒の一部が分岐されて上記第２伝熱部（21b）から放出される熱を吸収して上記圧縮機（11）の吐出側に戻されるように構成されている。
【００１０】
第２の発明では、冷却運転の際にも加熱運転の際にも、放熱器となる熱交換器（13,14）で放熱した高圧冷媒は、ペルチェ素子（21）の吸熱側の第１伝熱部（21a）に吸熱されて冷却される。同時に、上記高圧冷媒の一部は、冷却機構（30）によって分岐されてペルチェ素子（21）の発熱側の第２伝熱部（21b）から吸熱することによって加熱されると共に該第２伝熱部（21b）を冷却して、圧縮機（11）の吐出側に戻される。
【００１１】
第３の発明は、圧縮機（11）と放熱器（74）と膨張機構（15）と蒸発器（76）とを有する冷媒回路（72）を備えた冷凍装置であって、上記放熱器（74）で放熱した高圧冷媒を冷却する吸熱側の第１伝熱部（21a）と発熱側の第２伝熱部（21b）とを有するペルチェ素子（21）と、上記高圧冷媒の一部を分岐させた高圧圧力状態の分岐冷媒に上記第２伝熱部（21b）から放出される熱を吸収させて上記圧縮機（11）の吐出側に戻す冷却機構（30）とを備えている。
【００１２】
第３の発明では、放熱器（74）で放熱した高圧冷媒は、ペルチェ素子（21）の吸熱側の第１伝熱部（21a）に吸熱されて冷却される。同時に、上記高圧冷媒の一部は、冷却機構（30）によって分岐されてペルチェ素子（21）の発熱側の第２伝熱部（21b）から吸熱することによって加熱されると共に該第２伝熱部（21b）を冷却して、圧縮機（11）の吐出側に戻される。
【００１３】
第４の発明は、第１乃至第３のいずれか１つの発明において、上記冷却機構（30）は、上記分岐冷媒を上記圧縮機（11）の吐出側に戻すポンプ機構（33）を備えている。
【００１４】
第４の発明では、放熱後の高圧冷媒から分岐された分岐冷媒は、ポンプ機構（33）によって昇圧されて圧縮機（11）の吐出側に戻される。
【００１５】
第５の発明は、第１乃至第３のいずれか１つの発明において、上記冷却機構（30）は、上記圧縮機（11）の吐出側に設けられ、上記圧縮機（11）の吐出冷媒を加速して噴射するノズル部（51a）を有し、該ノズル部（51a）から噴射される冷媒によって上記分岐冷媒が吸引されるように構成されたエジェクタ機構（50）を備えている。
【００１６】
第５の発明では、圧縮機（11）から吐出されてエジェクタ機構（50）に流入した吐出冷媒は、ノズル部（51a）において加速されて、該ノズル部（51a）から噴射される。なお、該ノズル部（51a）において、上記吐出冷媒は、圧力エネルギの一部が速度エネルギに変換されるため、下流側に向かって加速される一方、徐々に圧力が低下していく。このようなノズル部（51a）から噴射される吐出冷媒の圧力低下によって分岐冷媒が吸引されて噴射された吐出冷媒に合流される。このようにして、エジェクタ機構（50）によって分岐路（31）の冷媒が圧縮機（11）の吐出側に戻される。
【００１７】
第６の発明は、第１乃至第５のいずれか１つの発明において、上記冷媒回路（2,72）には、上記冷媒として二酸化炭素が充填されている。
【００１８】
第６の発明では、冷媒として二酸化炭素を用いることにより、冷媒が圧縮機（11）において臨界圧力を超えるまで圧縮され、冷媒回路（2,72）において蒸気圧縮式の超臨界サイクルが行われる。ここで、二酸化炭素を冷媒とする場合、例えばＨＦＣ系の冷媒と比較して、冷媒配管を流れる際の圧力損失が小さくなる。そのため、冷媒として二酸化炭素を用いることによって、放熱器（13,14,74）や蒸発器（14,13,76）における圧力損失が低減され、放熱器（13,14,74）や蒸発器（14,13,76）において効率よく熱交換が行われる。
【発明の効果】
【００１９】
第１及び第２の発明によれば、冷却機構（30）を備えているため、冷却運転の際には、熱源側熱交換器（13）で放熱した高圧冷媒の分岐冷媒でペルチェ素子（21）の発熱側の第２伝熱部（21b）を冷却することができる。これにより、ペルチェ素子（21）における吸熱側の第１伝熱部（21a）から発熱側の第２伝熱部（21b）への熱移送が円滑になり、熱源側熱交換器（13）で放熱した高圧冷媒を第１伝熱部（21a）によって十分に冷却することができる。その結果、利用側熱交換器（14）における吸熱量が増大し、冷凍装置における冷却能力及び冷却効率の向上を図ることができる。一方、加熱運転の際には、利用側熱交換器（14）で放熱した高圧冷媒の分岐冷媒をペルチェ素子（21）の発熱側の第２伝熱部（21b）から放出される熱によって加熱して圧縮機（11）の吐出側に戻すことができる。これにより、利用側熱交換器（14）における吐出冷媒の放熱量を増大させることができ、冷凍装置における加熱能力及び加熱効率の向上を図ることができる。
【００２０】
特に、第２の発明によれば、冷却運転の際にも加熱運転の際にも、能力及び効率を向上させることができる。
【００２１】
第３の発明によれば、冷却機構（30）を備えているため、放熱器（74）を熱源側熱交換器として用い且つ蒸発器（76）を利用側熱交換器として用いる場合には、放熱器（74）で放熱した高圧冷媒の分岐冷媒でペルチェ素子（21）の発熱側の第２伝熱部（21b）を冷却することができる。これにより、ペルチェ素子（21）における吸熱側の第１伝熱部（21a）から発熱側の第２伝熱部（21b）への熱移送が円滑になり、放熱器（74）で放熱した高圧冷媒を第１伝熱部（21a）によって十分に冷却することができる。その結果、利用側熱交換器として用いる蒸発器（76）における吸熱量が増大し、冷凍装置における冷却能力及び冷却効率の向上を図ることができる。また、冷却機構（30）を備えているため、放熱器（74）を利用側熱交換器として用い且つ蒸発器（76）を熱源側熱交換器として用いる場合には、放熱器（74）で放熱した高圧冷媒の分岐冷媒をペルチェ素子（21）の発熱側の第２伝熱部（21b）から放出される熱によって加熱して圧縮機（11）の吐出側に戻すことができる。これにより、利用側熱交換器として用いる放熱器（74）における吐出冷媒の放熱量を増大させることができ、冷凍装置における加熱能力及び加熱効率の向上を図ることができる。
【００２２】
また、第１乃至第３の発明によれば、ペルチェ素子（21）の発熱側となる第２伝熱部（21b）を大型の放熱フィン等によって冷却するのではなく、放熱器となる熱交換器（13,14,74）で放熱した高圧冷媒の分岐冷媒によって冷却することとした。そのため、フィン等で空冷する場合に比べて、ペルチェ素子（21）の第２伝熱部（21b）を冷却する冷却手段をコンパクトに形成することができる。また、空気に比べて冷媒は伝熱性能が高いため、冷媒によってペルチェ素子（21）の第２伝熱部（21b）を効率よく冷却することができる。その結果、ペルチェ素子（21）の吸熱側となる第１伝熱部（21a）と発熱側となる第２伝熱部（21b）とにおける温度差を小さくすることができ、ペルチェ素子（21）自体の
効率を向上させることができる。
【００２３】
ところで、第１乃至第３の発明では、放熱器となる熱交換器（13,14,74）で放熱した高圧冷媒の分岐冷媒を、圧縮機（11）の吐出側に戻すこととしているが、上記分岐冷媒を圧縮機（11）の吸入側や圧縮機（11）内の圧縮途中の冷媒に戻すことも可能である。
【００２４】
しかしながら、上記分岐冷媒を圧縮機（11）の吸入側や圧縮機（11）内の圧縮途中の冷媒に戻す場合、高圧の分岐冷媒を接続先の圧力に合うように減圧した後、圧縮機（11）において再度圧縮する必要があり、圧縮機（11）の動力が増大してしまう。また、圧縮機（11）内に冷媒を戻す場合、圧縮途中に冷媒を導入するため、戻す冷媒の圧力や流量の制約が大きく、効率よく冷媒を冷媒回路（2,72）に戻すことが難しい。
【００２５】
それに比べ、第１乃至第３の発明によれば、上記分岐冷媒を圧縮機（11）の吐出側に戻すこととしているため、上記分岐冷媒を減圧する必要がなく、また、戻した冷媒を圧縮機（11）において再度圧縮することもない。よって、上記分岐冷媒を効率よく冷媒回路（2,72）に戻すことができる。さらに、上記分岐冷媒を圧縮機（11）内に戻す場合に比べて戻す冷媒の流量の制約が小さいため、より多くの高圧冷媒を分岐させることができる。これにより、冷却運転の際には、ペルチェ素子（21）の第２伝熱部（21b）を十分に冷却することができるため、第１伝熱部（21a）によって上記高圧冷媒を十分に冷却することができる。よって、蒸発器となる利用側熱交換器（14,76）における吸熱量を増大させて冷凍装置における冷却能力及び冷却効率の向上を図ることができる。一方、加熱運転の際には、ペルチェ素子（21）の第２伝熱部（21b）から放出される熱の多くを分岐冷媒に吸収させることができるため、放熱器となる利用側熱交換器（14,76）における吐出冷媒の放熱量を増大させて冷凍装置における加熱能力及び加熱効率の向上を図ることができる。
【００２６】
また、第４の発明によれば、分岐冷媒をポンプ機構（33）を用いることによって容易に圧縮機（11）の吐出側に戻すことができる。なお、ポンプ機構（33）は、圧縮機（11）から吐出された冷媒が、放熱器となる熱交換器（13,14,74）通過後に分岐されて圧縮機（11）の吐出側に戻されるまでの間に損失される僅かな圧力分だけを昇圧できればよい。従って、上記構成によれば、小型のポンプ機構（33）を用いて装置の大型化を抑制しつつ、分岐冷媒を容易に圧縮機（11）の吐出側に戻すことができる。
【００２７】
また、第５の発明によれば、圧縮機（11）の吐出側にエジェクタ機構（50）を設けることにより、ポンプ等の昇圧手段を設けることなく分岐冷媒を圧縮機（11）の吐出側に容易に戻すことができる。
【００２８】
また、第６の発明によれば、冷媒回路（2,72）において冷媒として二酸化炭素を用いることにより、冷媒が放熱器（13,14,74）や蒸発器（14,13,76）を通過する際の圧力損失を低減して、放熱器（13,14,74）や蒸発器（14,13,76）における熱交換効率を向上させることができる。従って、冷凍装置の能力及び効率の向上をより図ることができる。
【図面の簡単な説明】
【００２９】
【図１】図１は、本発明の実施形態１に係る空気調和装置の配管系統図であり、冷房運転の際の冷媒循環の様子を示している。
【図２】図２は、本発明の実施形態１に係る空気調和装置の配管系統図であり、暖房運転の際の冷媒循環の様子を示している。
【図３】図３は、本発明の実施形態２に係る空気調和装置の配管系統図であり、冷房運転の際の冷媒循環の様子を示している。
【図４】図４は、本発明の実施形態２に係る空気調和装置の配管系統図であり、暖房運転の際の冷媒循環の様子を示している。
【図５】図５は、エジェクタ機構の断面図である。
【図６】図６は、本発明の実施形態３に係る空気調和装置の配管系統図であり、冷房運転の際の冷媒循環の様子を示している。
【図７】図７は、本発明の実施形態３に係る空気調和装置の配管系統図であり、暖房運転の際の冷媒循環の様子を示している。
【図８】図８は、本発明の実施形態４に係る空気調和装置の配管系統図であり、冷房運転の際の冷媒循環の様子を示している。
【図９】図９は、本発明の実施形態４に係る空気調和装置の配管系統図であり、暖房運転の際の冷媒循環の様子を示している。
【図１０】図１０は、本発明の実施形態５に係る空気調和装置の配管系統図であり、冷房運転の際の冷媒循環の様子を示している。
【図１１】図１１は、本発明の実施形態５に係る空気調和装置の配管系統図であり、暖房運転の際の冷媒循環の様子を示している。
【図１２】図１２は、本発明の実施形態６に係る空気調和装置の配管系統図であり、冷房運転の際の冷媒循環の様子を示している。
【図１３】図１３は、本発明の実施形態６に係る空気調和装置の配管系統図であり、暖房運転の際の冷媒循環の様子を示している。
【図１４】図１４は、本発明の実施形態７に係る給湯装置の配管系統図である。
【図１５】図１５は、本発明の実施形態８に係る給湯装置の配管系統図である。
【発明を実施するための形態】
【００３０】
以下、本発明の実施形態について図面を参照しながら説明する。
【００３１】
《実施形態１》
−全体構成−
図１及び図２に示すように、本実施形態１では、本発明の実施形態に係る冷凍装置の一例として空気調和装置（1）について説明する。
【００３２】
上記空気調和装置（1）は、室内ユニット（1A）と、室外ユニット（1B）とを備えている。上記空気調和装置（1）は、室内ユニット（1A）と室外ユニット（1B）とに跨って配設された冷媒回路（2）を備え、該冷媒回路（2）において冷媒を循環させて蒸気圧縮式の冷凍サイクルを行う。
【００３３】
上記冷媒回路（2）は、圧縮機（11）、四路切換弁（12）、室外熱交換器（13）、室内熱交換器（14）、膨張機構（15）及びブリッジ回路（16）を有している。また、冷媒回路（2）には、二酸化炭素（ＣＯ２）が冷媒として充填されている。なお、冷媒回路（2）に充填される冷媒は二酸化炭素以外のものであっても勿論よいが、二酸化炭素は、例えばＨＦＣ系の冷媒と比較して、冷媒配管を流れる際の圧力損失が小さくなる特性を有している。そのため、冷媒として二酸化炭素を用いることにより、室外熱交換器（13）や室内熱交換器（14）を流通する際の圧力損失を低減して、熱交換を効率よく行わせることができる。
【００３４】
上記圧縮機（11）は、冷媒配管によって、吐出側が四路切換弁（12）の第１ポートに接続される一方、吸入側が四路切換弁（12）の第３ポートに接続されている。なお、本実施形態では、圧縮機（11）の吸入側と四路切換弁（12）の第３ポートとの間にアキュムレータ（25）が設けられている。該アキュムレータ（25）は、圧縮機（11）に吸入される冷媒中に含まれる液冷媒を除去し、ガス冷媒のみを圧縮機（11）に吸入させる。また、本実施形態では、圧縮機（11）に吸入された冷媒（二酸化炭素（ＣＯ２））は、圧縮機（11）において臨界圧力以上の圧力に圧縮される。
【００３５】
上記四路切換弁（12）は、第１〜第４までの４つポートを有し、第１ポートと第４ポートとが連通し且つ第２ポートと第３ポートとが連通する第１の状態（図１参照）と、第１ポートと第２ポートとが連通し且つ第３ポートと第４ポートとが連通する第２の状態（図２参照）とに切り換わるように構成されている。四路切換弁（12）の状態を切り換えることにより、冷媒回路（2）における冷媒の循環方向が切り換わり、後述する冷房運転と暖房運転とが切り換えられる。つまり、四路切換弁（12）は、空気調和装置（1）における運転を切り換える運転切換手段を構成している。
【００３６】
上記室外熱交換器（13）は、空冷式の熱交換器によって構成されている。室外熱交換器（13）は、冷媒配管によって、一端が四路切換弁（12）の第４ポートに接続される一方、他端がブリッジ回路（16）に接続されている。また、室外熱交換器（13）には、図示を省略する室外ファンによって室外空気が供給され、室外熱交換器（13）では、供給された室外空気と冷媒回路（2）の冷媒との間において熱交換が行われる。なお、本実施形態では、室外熱交換器（13）が本発明に係る熱源側熱交換器を構成する。
【００３７】
上記室内熱交換器（14）は、空冷式の熱交換器によって構成されている。室内熱交換器（14）は、冷媒配管によって、一端が四路切換弁（12）の第２ポートに接続される一方、他端がブリッジ回路（16）に接続されている。また、室内熱交換器（14）には、図示を省略する室内ファンによって室内空気が供給され、室内熱交換器（14）では、供給された室内空気と冷媒回路（2）の冷媒との間において熱交換が行われる。なお、本実施形態では、室内熱交換器（14）が本発明に係る利用側熱交換器を構成する。
【００３８】
上記膨張機構（15）は、本実施形態では、膨張弁（15a）によって構成されている。該膨張弁（15a）は、上記冷媒回路（2）の一部を構成する高圧冷媒流路（4）と低圧冷媒流路（5）との間に設けられている。具体的には、該膨張弁（15a）の流入側端に高圧冷媒流路（4）が接続される一方、流出側端に低圧冷媒流路（5）が接続されている。なお、高圧冷媒流路（4）及び低圧冷媒流路（5）は、それぞれ冷媒配管によって形成されている。また、高圧冷媒流路（4）及び低圧冷媒流路（5）は、後述するブリッジ回路（16）の一方向通路を構成する。さらに、膨張弁（15a）は、開度が調節可能に構成された電動弁によって構成され、冷媒回路（2）の蒸発圧力が所定の圧力になるように開度調節される。
【００３９】
上記ブリッジ回路（16）は、室外熱交換器（13）と室内熱交換器（14）との間に設けられている。ブリッジ回路（16）は、ブリッジ状に接続された第１〜第４管路（16a〜16d）と、第１〜第４逆止弁（17a〜17d）と、上記一方向通路とを備えている。
【００４０】
第１〜第４管路（16a〜16d）は、四角状の閉回路を形成している。第１管路（16a）の一端と第２管路（16b）の一端とが接続され、第２管路（16b）の他端と第３管路（16c）の一端とが接続され、第３管路（16c）の他端と第４管路（16d）の一端とが接続され、第４管路（16d）の他端と第１管路（16a）の他端とが接続されている。また、第１管路（16a）と第４管路（16d）の接続部と、第２管路（16b）と第３管路（16c）の接続部とが上記一方向通路によって接続されている。具体的には、上記一方向通路の上記高圧冷媒流路（4）の流入側端が第２管路（16b）と第３管路（16c）の接続部に接続される一方、上記一方向通路の上記低圧冷媒流路（5）の流出側端が第１管路（16a）と第４管路（16d）の
接続部に接続されている。
【００４１】
上記第１管路（16a）に第１逆止弁（17a）が設けられ、上記第２管路（16b）に第２逆止弁（17b）が設けられ、上記第３管路（16c）に第３逆止弁（17c）が設けられ、第４管路（16d）に第４逆止弁（17d）が設けられている。
【００４２】
また、上記第１〜第４逆止弁（17a〜17d）は、それぞれ入口側から出口側に向かう方向への冷媒の流通だけを許容し、逆方向への冷媒の流通を阻止するように構成されている。そして、第１逆止弁（17a）は、第１管路（16a）において、入口側が第４管路（16d）側に且つ出口側が第２管路（16b）側になるように配置されている。第２逆止弁（17b）は、第２管路（16b）において、入口側が第１管路（16a）側に且つ出口側が第３管路（16c）側になるように配置されている。第３逆止弁（17c）は、第３管路（16c）において、入口側が第４管路（16d）側に且つ出口側が第２管路（16b）側になるように配置されている。第４逆止弁（17d）は、第４管路（16d）において、入口側が第１管路（16a）側に且つ
出口側が第３管路（16c）側になるように配置されている。
【００４３】
上述のように、上記ブリッジ回路（16）には、室内熱交換器（14）と、室外熱交換器（13）とが接続されている。具体的には、上記室外熱交換器（13）は、冷媒配管によって第１管路（16a）と第２管路（16b）の接続部に接続されている。上記室内熱交換器（14）は、冷媒配管によって第３管路（16c）と第４管路（16d）の接続部に接続されている。
【００４４】
上述のような構成により、冷房運転の際にも暖房運転の際にも、ブリッジ回路（16）では、一方向通路において冷媒が常に高圧冷媒流路（4）側から低圧冷媒流路（5）側へ一方向に流れる。そのため、冷房運転及び暖房運転のいずれの運転の際にも、放熱器として機能する熱交換器から流出した高圧冷媒は、まず高圧冷媒流路（4）に導かれて膨張弁（15a）で減圧された後、低圧冷媒流路（5）に流入して蒸発器として機能する熱交換器に導かれることとなる。なお、具体的な動作については後述する。
【００４５】
上記高圧冷媒流路（4）には、補助熱交換器（20）が接続されている。補助熱交換器（20）は、ペルチェ素子（21）と冷却用部材（22）とを有している。
【００４６】
上記ペルチェ素子（21）は、２種類の金属部材の接続部に直流電流を供給すると、一方の金属部材から他方の金属部材へ熱が移動する所謂ペルチェ効果を利用した素子であり、一方の金属部材側の第１伝熱部（21a）と、他方の金属部材側の第２伝熱部（21b）とを有している。なお、図示を省略しているが、ペルチェ素子（21）の第１伝熱部（21a）と第２伝熱部（21b）との接続部には、直流電流を供給する電源が接続されている。また、本実施形態では、第１伝熱部（21a）が吸熱側となり、第２伝熱部（21b）が発熱側となるように電源から直流電流が供給される。
【００４７】
上記冷却用部材（22）は、例えば、アルミニウム等の熱伝導率の高い金属からなる本体部（22a）と、同様に熱伝導率の高い金属からなり、上記本体部（22a）に埋設された冷媒管（22b）とを備えている。本実施形態では、冷媒管（22b）の内部流路は、上記高圧冷媒流路（4）の一部を構成している。また、冷却用部材（22）は、冷媒管（22b）内を流れる冷媒とペルチェ素子（21）の第１伝熱部（21a）との熱交換が可能になるように、本体部（22a）が第１伝熱部（21a）に接触するように設けられている。なお、冷却用部材（22）は、本体部（22a）と冷媒管（22b）が一体に形成されたものであってもよい。
【００４８】
また、空気調和装置（1）は、上記ペルチェ素子（21）の第２伝熱部（21a）を冷却する冷却機構（30）を備えている。該冷却機構（30）は、冷媒回路（2）で放熱後の高圧冷媒の一部を分岐させ、該分岐冷媒に第２伝熱部（21a）から放出される熱を吸収させた後、分岐冷媒を圧縮機（11）の吐出側に戻すように構成されている。具体的には、冷却機構（30）は、冷媒回路（2）に接続された分岐路（31）と、冷媒冷却器（32）と、冷媒ポンプ（33）とを備えている。
【００４９】
上記分岐路（31）は、一端が高圧冷媒流路（4）の補助熱交換器（20）の上流側に接続される一方、他端が冷媒回路（2）の冷媒配管の一部である圧縮機（11）の吐出側配管（11a）に接続されている。分岐路（31）は、冷媒配管によって形成されている。
【００５０】
上記冷媒冷却器（32）は、上記分岐路（31）に設けられている。冷媒冷却器（32）は、例えば、アルミニウム等の熱伝導率の高い金属からなる本体部（32a）と、同様に熱伝導率の高い金属からなり、上記本体部（32a）に埋設された冷媒管（32b）とを備えている。本実施形態では、冷媒管（32b）の内部流路が、上記分岐路（31）の一部を構成している。また、冷媒冷却器（32）は、上記冷媒管（32b）内を流れる冷媒とペルチェ素子（21）の第２伝熱部（21b）との熱交換が可能になるように、本体部（32a）がペルチェ素子（21）の第２伝熱部（21b）に接触するように設けられている。
【００５１】
上記冷媒ポンプ（33）は、上記分岐路（31）の上記冷媒冷却器（32）の上流側に設けられている。また、冷媒ポンプ（33）は、吸入した冷媒を所定圧力だけ昇圧して圧縮機（11）の吐出側配管（11a）に戻すように構成されている。
【００５２】
以上のような構成により、冷却機構（30）の冷媒ポンプ（33）を駆動すると、高圧冷媒流路（4）の高圧冷媒の一部が分岐路（31）に引き込まれて冷媒ポンプ（33）において昇圧され、冷媒冷却器（32）においてペルチェ素子（21）の第２伝熱部（21b）から吸熱した後、圧縮機（11）の吐出側配管（11a）に戻される。
【００５３】
−運転動作−
次に、上記空気調和装置（1）の運転動作について説明する。空気調和装置（1）では、四路切換弁（12）の状態が切り換えられることにより、冷媒回路（2）における冷媒の循環方向が切り換わる。これにより、空気調和装置（1）において、室外熱交換器（13）が放熱器として機能し且つ室内熱交換器（14）が蒸発器として機能する冷房運転と、室内熱交換器（14）が放熱器として機能し且つ室外熱交換器（13）が蒸発器として機能する暖房運転とが切り換えられる。
【００５４】
《冷房運転》
図１に示すように、冷房運転の際には、四路切換弁（12）が第１の状態に切り換えられ、膨張弁（15a）の開度が適宜調節される。この状態で圧縮機（11）を駆動すると、冷媒回路（2）において冷媒が循環して蒸気圧縮式の冷凍サイクルが行われる。また、圧縮機（11）の駆動と共に、ペルチェ素子（21）に直流電流を供給すると共に、冷却機構（30）の冷媒ポンプ（33）を駆動する。
【００５５】
冷房運転では、圧縮機（11）から吐出された高圧の吐出冷媒は、四路切換弁（12）を通って室外熱交換器（13）に流入する。室外熱交換器（13）に流入した上記吐出冷媒は、室外熱交換器（13）において室外空気と熱交換を行い、室外空気に対して放熱する。
【００５６】
室外熱交換器（13）において放熱後、該室外熱交換器（13）から流出した高圧冷媒は、ブリッジ回路（16）の第２管路（16b）に流入し、第２逆止弁（17b）によって高圧冷媒流路（4）に導かれる。該高圧冷媒流路（4）に流入した高圧冷媒は、上記冷媒ポンプ（33）の駆動によって一部が分岐されて分岐路（31）に流入する一方、残りは補助熱交換器（20）の冷却用部材（22）の冷媒管（22b）に流入する。
【００５７】
ところで、上記ペルチェ素子（21）には、第１伝熱部（21a）が吸熱側となって第２伝熱部（21b）が発熱側となるように、電源から第１伝熱部（21a）と第２伝熱部（21b）の接続部に直流電流が供給される。これにより、第１伝熱部（21a）において吸収された熱が第２伝熱部（21b）に搬送され、該熱がペルチェ素子（21）自体の消費電力分の熱と共に第２伝熱部（21b）から放出される。
【００５８】
上述のように、補助熱交換器（20）の冷却用部材（22）は、冷媒管（22b）内を流れる冷媒とペルチェ素子（21）の第１伝熱部（21a）との熱交換が可能になるように設けられている。そのため、冷却用部材（22）の冷媒管（22b）に流入した高圧冷媒は、第１伝熱部（21a）によって冷却される。具体的には、冷媒管（22b）に流入した高圧冷媒の熱が、冷媒管（22b）及び本体部（22a）によって第１伝熱部（21a）に導かれて該第１伝熱部（21a）に吸収されることによって、冷媒管（22b）の高圧冷媒が冷却される。このようにして第１伝熱部（21a）によって冷却された高圧冷媒は、冷媒管（22b）から流出して膨張弁（15a）に流入する。
【００５９】
ここで、ペルチェ素子（21）に流す直流電流が少なすぎると高圧冷媒を冷却する効果が十分に得られない一方、ペルチェ素子（21）に流す直流電流が多すぎるとペルチェ素子（21）の吸熱側となる第１伝熱部（21a）と発熱側となる第２伝熱部（21b）との温度差が大きくなってペルチェ素子（21）自体の効率が低下してしまう。そこで、ペルチェ素子（21）には、空気調和装置（1）全体の効率が最大となる最適な値の直流電流を供給する。
【００６０】
一方、上記分岐路（31）に流入した分岐冷媒は、冷媒ポンプ（33）に吸入される。該冷媒ポンプ（33）に吸入された分岐冷媒は、所定圧力だけ昇圧されて冷媒冷却器（32）の冷媒管（32b）に流入する。
【００６１】
なお、上記所定圧力は、圧縮機（11）から吐出された高圧の吐出冷媒が、室外熱交換器（13）を通過後、冷却機構（30）によって分岐されてペルチェ素子（21）の第２伝熱部（21b）と熱交換して再び圧縮機（11）の吐出側配管（11a）に返送されるまでの間に、各配管において損失される圧力の総和（主に室外熱交換器（13）において損失される圧力）によって求められる。つまり、冷媒ポンプ（33）では、圧縮機（11）から吐出された高圧の吐出冷媒が、室外熱交換器（13）を通過後、冷却機構（30）によって分岐されてペルチェ素子（21）の第２伝熱部（21b）と熱交換して再び圧縮機（11）の吐出側配管（11a）に返送されるまでの間に損失される圧力分だけ昇圧すればよい。
【００６２】
上述のように、上記冷媒冷却器（32）は、冷媒管（32b）の内部流路を流れる冷媒とペルチェ素子（21）の第２伝熱部（21b）との熱交換が可能になるように設けられている。そのため、冷媒冷却器（32）の冷媒管（32b）に流入した高圧の分岐冷媒は、第２伝熱部（21b）を冷却する。具体的には、第２伝熱部（21b）から放出される熱が、本体部（32a）及び冷媒管（32b）を介して該冷媒管（32b）に流入した分岐冷媒に吸収されることによって、第２伝熱部（21b）が冷却される。一方、冷媒管（32b）の分岐冷媒は、第２伝熱部（21b）によって加熱されることとなる。そして、第２伝熱部（21b）によって加熱された分岐冷媒は、冷媒管（32b）から流出して圧縮機（11）の吐出側配管（11a）に流入する。
【００６３】
なお、上述のように、分岐路（31）の分岐冷媒は、冷媒ポンプ（33）において所定圧力だけ昇圧されているため、容易に且つ円滑に圧縮機（11）の吐出側配管（11a）に流入して圧縮機（11）から吐出された高圧の吐出冷媒に合流することとなる。
【００６４】
一方、上記膨張弁（15a）に流入した高圧冷媒は、該膨張弁（15a）において減圧されて低圧冷媒となり、低圧冷媒流路（5）に流入する。該低圧冷媒流路（5）に流入した低圧冷媒は、第４管路（16d）に流入し、第４逆止弁（17d）によって蒸発器として機能する室内熱交換器（14）に導かれる。
【００６５】
室内熱交換器（14）に流入した低圧冷媒は、室内空気と熱交換を行い、室内空気から吸熱して蒸発する。室内熱交換器（14）において低圧冷媒に吸熱されて冷却された室内空気は、室内へ送り返される。一方、室内熱交換器（14）において蒸発した低圧ガス冷媒は、室内熱交換器（14）から流出してアキュムレータ（25）及び四路切換弁（12）を通過した後、再び圧縮機（11）に吸入される。圧縮機（11）に吸入された低圧ガス冷媒は、臨界圧力以上の高圧圧力状態になるまで圧縮されて圧縮機（11）から吐出される。
【００６６】
《暖房運転》
図２に示すように、暖房運転の際には、四路切換弁（12）が第２の状態に切り換えられ、膨張弁（15a）の開度が適宜調節される。この状態で圧縮機（11）を駆動すると、冷媒回路（2）において冷媒が循環して蒸気圧縮式の冷凍サイクルが行われる。また、圧縮機（11）の駆動と共に、ペルチェ素子（21）に直流電流を供給すると共に、冷却機構（30）の冷媒ポンプ（33）を駆動する。
【００６７】
暖房運転では、圧縮機（11）から吐出された高圧の吐出冷媒は、四路切換弁（12）を通って室内熱交換器（14）に流入する。室内熱交換器（14）に流入した上記吐出冷媒は、室内熱交換器（14）において室内空気と熱交換を行い、室内空気に対して放熱する。室内熱交換器（14）において吐出冷媒から放出された熱を吸収して加熱された室内空気は、室内へ送り返される。
【００６８】
室内熱交換器（14）において放熱後、該室内熱交換器（14）から流出した高圧冷媒は、ブリッジ回路（16）の第３管路（16c）に流入し、第３逆止弁（17c）によって高圧冷媒流路（4）に導かれる。該高圧冷媒流路（4）に流入した高圧冷媒は、冷房運転と同様に、上記冷媒ポンプ（33）の駆動によって一部が分岐されて分岐路（31）に流入する一方、残りは補助熱交換器（20）の冷却用部材（22）の冷媒管（22b）に流入する。
【００６９】
ところで、上記ペルチェ素子（21）では、冷房運転と同様に、上記第１伝熱部（21a）が吸熱側となって第２伝熱部（21b）が発熱側となるように、電源から第１伝熱部（21a）と第２伝熱部（21b）の接続部に直流電流が供給される。これにより、第１伝熱部（21a）において吸収された熱が第２伝熱部（21b）に搬送され、該熱がペルチェ素子（21）自体の消費電力分の熱と共に第２伝熱部（21b）から放出される。
【００７０】
上述のように、補助熱交換器（20）の冷却用部材（22）は、冷媒管（22b）内を流れる冷媒とペルチェ素子（21）の第１伝熱部（21a）との熱交換が可能になるように設けられている。そのため、冷却用部材（22）の冷媒管（22b）に流入した高圧冷媒は、第１伝熱部（21a）によって冷却される。具体的には、冷媒管（22b）に流入した高圧冷媒の熱が、冷媒管（22b）及び本体部（22a）によって第１伝熱部（21a）に導かれて該第１伝熱部（21a）に吸収されることによって、冷媒管（22b）の高圧冷媒が冷却される。このようにして第１伝熱部（21a）によって冷却された高圧冷媒は、冷媒管（22b）から流出して膨張弁（15a）に流入する。なお、冷房運転と同様に、ペルチェ素子（21）には、空気調和装置（1）全体の効率が最大となる最適な値の直流電流を供給する。
【００７１】
一方、上記分岐路（31）に流入した高圧の分岐冷媒は、冷媒ポンプ（33）に吸入される。該冷媒ポンプ（33）に吸入された分岐冷媒は、所定圧力だけ昇圧されて冷媒冷却器（32）の冷媒管（32b）に流入する。
【００７２】
なお、上記所定圧力は、圧縮機（11）から吐出された高圧の吐出冷媒が、室内熱交換器（14）を通過後、冷却機構（30）によって分岐されてペルチェ素子（21）の第２伝熱部（21b）と熱交換して再び圧縮機（11）の吐出側配管（11a）に返送されるまでの間に、各配管において損失される圧力の総和（主に室内熱交換器（14）において損失される圧力）によって求められる。つまり、冷媒ポンプ（33）では、圧縮機（11）から吐出された高圧の吐出冷媒が、室内熱交換器（14）を通過後、冷却機構（30）によって分岐されてペルチェ素子（21）の第２伝熱部（21b）と熱交換して再び圧縮機（11）の吐出側配管（11a）に返送されるまでの間に損失される圧力分だけ昇圧すればよい。
【００７３】
上述のように、上記冷媒冷却器（32）は、冷媒管（32b）の内部流路を流れる冷媒とペルチェ素子（21）の第２伝熱部（21b）との熱交換が可能になるように設けられている。そのため、冷媒冷却器（32）の冷媒管（32b）に流入した高圧の分岐冷媒は、第２伝熱部（21b）を冷却する。具体的には、第２伝熱部（21b）から放出される熱が、本体部（32a）及び冷媒管（32b）を介して該冷媒管（32b）に流入した分岐冷媒に吸収されることによって、第２伝熱部（21b）が冷却される。一方、冷媒管（32b）の分岐冷媒は、第２伝熱部（21b）によって加熱されることとなる。そして、第２伝熱部（21b）によって加熱された分岐冷媒は、冷媒管（32b）から流出して圧縮機（11）の吐出側配管（11a）に流入する。
【００７４】
なお、上述のように、分岐路（31）の分岐冷媒は、冷媒ポンプ（33）において所定圧力だけ昇圧されているため、容易に且つ円滑に圧縮機（11）の吐出側配管（11a）に流入して圧縮機（11）から吐出された高圧の吐出冷媒に合流することとなる。
【００７５】
一方、上記膨張弁（15a）に流入した高圧冷媒は、該膨張弁（15a）において減圧されて低圧冷媒となり、低圧冷媒流路（5）に流入する。該低圧冷媒流路（5）に流入した低圧冷媒は、第１管路（16a）に流入し、第１逆止弁（17a）によって蒸発器として機能する室外熱交換器（13）に導かれる。
【００７６】
室外熱交換器（13）に流入した低圧冷媒は、室外空気と熱交換を行い、室外空気から吸熱して蒸発する。室外熱交換器（13）において蒸発した低圧ガス冷媒は、室外熱交換器（13）から流出してアキュムレータ（25）及び四路切換弁（12）を通過した後、再び圧縮機（11）に吸入される。圧縮機（11）に吸入された低圧ガス冷媒は、臨界圧力以上の高圧圧力状態になるまで圧縮されて圧縮機（11）から吐出される。
【００７７】
−実施形態１の効果−
以上のように、上記実施形態１では、ペルチェ素子（21）と冷却機構（30）を備えている。そのため、冷房運転の際には、室外熱交換器（13）で放熱した高圧冷媒の分岐冷媒でペルチェ素子（21）の第２伝熱部（21b）を冷却して、吸熱側の第１伝熱部（21a）から発熱側の第２伝熱部（21b）への熱移送を円滑にすることにより、 室外熱交換器（13）で放熱した高圧冷媒を第１伝熱部（21a）によって十分に冷却することができる。よって、室内熱交換器（14）における吸熱量が増大し、空気調和装置（1）の冷却能力及び冷却効率の向上を図ることができる。一方、暖房運転の際には、室内熱交換器（14）で放熱した高圧冷媒の分岐冷媒をペルチェ素子（21）の発熱側の第２伝熱部（21b）から放出される熱によって加熱して圧縮機（11）の吐出側に戻すことにより、室内熱交換器（14）における冷媒の放熱量を増大させることができる。よって、空気調和装置（1）の加熱能力及び加熱効率の向上を図ることができる。
【００７８】
また、上記実施形態１によれば、ペルチェ素子（21）の発熱側となる第２伝熱部（21b）を大型の放熱フィン等によって冷却するのではなく、放熱器となる熱交換器（13,14,74）で放熱した高圧冷媒の分岐冷媒によって冷却することとした。そのため、フィン等で空冷する場合に比べて、ペルチェ素子（21）の第２伝熱部（21b）を冷却する冷却手段をコンパクトに形成することができる。また、空気に比べて冷媒は伝熱性能が高いため、冷媒によってペルチェ素子（21）の第２伝熱部（21b）を効率よく冷却することができる。その結果、ペルチェ素子（21）の吸熱側となる第１伝熱部（21a）と発熱側となる第２伝熱部（21b）とにおける温度差を小さくすることができ、ペルチェ素子（21）自体の効率を向上させることができる。
【００７９】
ところで、上記実施形態１では、放熱器となる熱交換器（13,14）で放熱した高圧冷媒の分岐冷媒（分岐路（31）の冷媒）を、圧縮機（11）の吐出側配管（11a）に戻すこととしているが、上記分岐冷媒を圧縮機（11）の吸入側や圧縮機（11）内の圧縮途中の冷媒に戻すことも可能である。
【００８０】
しかしながら、上記分岐冷媒を圧縮機（11）の吸入側や圧縮機（11）内の圧縮途中の冷媒に戻す場合、分岐冷媒を接続先の圧力に合うように減圧した後、圧縮機（11）において再度圧縮する必要があり、圧縮機（11）の動力が増大してしまう。また、圧縮機（11）内に冷媒を戻す場合、圧縮途中に冷媒を導入するため、戻す冷媒の圧力や流量の制約が大きく、効率よく分岐冷媒を冷媒回路（2）に戻すことが難しい。
【００８１】
それに比べ、上記実施形態１によれば、上記分岐冷媒を圧縮機（11）の吐出側配管（11a）に戻すこととしているため、分岐冷媒を減圧する必要がなく、また、戻した冷媒を圧縮機（11）において再度圧縮することもない。よって、上記分岐冷媒を効率よく冷媒回路（2）に戻すことができる。さらに、上記分岐冷媒を圧縮機（11）内に戻す場合に比べて戻す冷媒の流量の制約が小さいため、放熱後の高圧冷媒のより多くを分岐させることができる。これにより、冷房運転の際には、ペルチェ素子（21）の発熱側となる第２伝熱部（21b）を十分に冷却することができるため、第１伝熱部（21a）によって上記高圧冷媒を十分に冷却することができる。これにより、冷媒回路（2）において蒸発器となる室内熱交換器（14）での吸熱量を増大させて空気調和装置（1）の冷却能力及び冷却効率の向上を図ることができる。一方、暖房運転の際には、ペルチェ素子（21）の第２伝熱部（21b）から放出される熱の多くを分岐冷媒に吸収させることができるため、放熱器となる室内熱交換器（14）における吐出冷媒の放熱量を増大させて空気調和装置（1）の加熱能力及び加熱効率の向上を図ることができる。
【００８２】
また、上記実施形態１によれば、分岐冷媒を冷媒ポンプ（33）を用いることによって容易に冷媒回路（2）の圧縮機（11）の吐出側配管（11a）に戻すことができる。なお、上述のように、冷媒ポンプ（33）は、圧縮機（11）から吐出された高圧の吐出冷媒が、放熱器となる熱交換器（13,14）を通過後、冷却機構（30）によって分岐されてペルチェ素子（21）の第２伝熱部（21b）と熱交換して再び圧縮機（11）の吐出側配管（11a）に返送されるまでの間に損失される僅かな圧力分だけを昇圧できればよい。従って、上記実施形態１によれば、小型の冷媒ポンプ（33）を用いて装置の大型化を抑制しつつ、分岐冷媒を容易に圧縮機（11）の吐出側配管（11a）に戻すことができる。
【００８３】
また、上記実施形態１によれば、ブリッジ回路（16）を備えているため、冷房運転及び暖房運転のいずれの運転の際にも、放熱後の高圧冷媒をペルチェ素子（21）の第１伝熱部（21a）によって冷却すると共に、放熱後の高圧冷媒の一部を分岐路（31）に分岐させてペルチェ素子（21）の第２伝熱部（21b）から吸熱させた後に圧縮機（11）の吐出側に戻すことができる。これにより、冷房運転の際には、放熱後の高圧冷媒をペルチェ素子（21）の第１伝熱部（21a）によってさらに冷却することができるため、冷却性能及び冷却効率の向上を図ることができる。一方、暖房運転の際には、放熱後の高圧冷媒の一部を分岐させてペルチェ素子（21）の第２伝熱部（21b）によって加熱した後に圧縮機（11）の吐出側に戻すことで、暖房能力及び暖房効率の向上を図ることができる。従って、冷房運転及び暖房運転のいずれの際にも効率の向上を図ることができる。
【００８４】
また、上記実施形態１によれば、ブリッジ回路（16）を備えているため、冷房運転用と暖房運転用とで別個にペルチェ素子（21）を設けるのではなく、ブリッジ回路（16）によって冷媒の流通経路を変更することによって、１つのペルチェ素子（21）でいずれの運転の際にも空気調和装置（1）の能力及び効率の向上を図ることができる。
【００８５】
また、上記実施形態１によれば、冷媒回路（2）において冷媒として二酸化炭素を用
いることにより、冷媒が室外熱交換器（13）や室内熱交換器（14）を通過する際の圧力損失を低減して、放熱器や蒸発器における熱交換効率を向上させることができる。従って、空気調和装置（1）の能力及び効率の向上をより図ることができる。
【００８６】
《実施形態２》
図３及び図４に示すように、実施形態２は、実施形態１の空気調和装置（1）の冷却機構（30）の構成を変更したものである。その他の構成は、実施形態１と同様である。
【００８７】
具体的には、実施形態２では、冷却機構（30）は、分岐路（31）と、冷媒冷却器（32）と、流量調整弁（34）と、エジェクタ機構（50）とを備えている。分岐路（31）及び冷媒冷却器（32）は、実施形態１と同様に構成されている。
【００８８】
上記流量調整弁（34）は、上記分岐路（31）の分岐部分（上流側端部）と冷媒冷却器（32）との間に配置されている。また、流量調整弁（34）は、開度が調節可能に構成された電動弁によって構成されている。そして、流量調整弁（34）の開度を調節すると、分岐路（31）に分岐する高圧冷媒の流量が調整される。つまり、流量調整弁（34）の開度を調節することによって、冷媒冷却器（32）の冷媒管（32b）への冷媒流入量が調整され、分岐冷媒によるペルチェ素子（21）の第２伝熱部（21b）からの吸熱量を調整することができる。
【００８９】
上記エジェクタ機構（50）は、分岐路（31）の下流側端部に配置されている。図５に示すように、エジェクタ機構（50）は、圧縮機（11）の吐出側配管（11a）の一部として構成された本体部（51）と、該本体部（51）と分岐路（31）の下流側端部とを接続する接続部（52）とを有している。
【００９０】
上記本体部（51）の内部には、圧縮機（11）から吐出された高圧の吐出冷媒を流通させる内部流路（53）が形成されている。本体部（51）は、圧縮機（11）の吐出冷媒を加速して噴射するノズル部（51a）と、該ノズル部（51a）の下流側に連続する拡径部（51b）とを有している。ノズル部（51a）は、中途部から下流側に向かって、内部流路（53）の流路断面積が徐々に小さくなるように形成されている。一方、拡径部（51b）は、上流側から下流側に向かって、内部流路（53）の流路断面積が徐々に大きくなるように形成されている。
【００９１】
上記接続部（52）は、本実施形態では上記本体部（51）と一体に形成されている。接続部（52）は、本体部（51）において内部流路（53）の流路断面積が最も小さくなった部分から径方向外側へ向かって突出するように形成されている。そして、接続部（52）の内部には、上記本体部（51）の内部流路（53）と分岐路（31）とを連通させる連通路（52a）が形成されている。
【００９２】
詳細な動作については後述するが、このような構成のエジェクタ機構（50）を備えた冷却機構（30）によって、高圧冷媒流路（4）の高圧冷媒の一部が分岐路（31）に分岐されて冷媒冷却器（32）においてペルチェ素子（21）の第２伝熱部（21b）から吸熱した後、圧縮機（11）の吐出側配管（11a）に戻される。
【００９３】
運転動作については、分岐路（31）における冷媒の動作が異なる以外は実施形態１とほぼ同様であるため、分岐路（31）における冷媒の動作についてのみ説明する。また、図３は冷房運転の際、図４は暖房運転の際の冷媒の流れをそれぞれ示しているが、分岐路（31）における冷媒の動作は、いずれの運転の場合も同じであるため、合わせて説明する。
【００９４】
図３及び図４に示すように、分岐路（31）に流入した高圧の分岐冷媒は、流量調整弁（34）を通過する際に流量が調整されて冷媒冷却器（32）の冷媒管（32b）に流入する。該冷媒管（32b）に流入した分岐冷媒は、第２伝熱部（21b）から吸熱して加熱される一方、該第２伝熱部（21b）を冷却する。冷媒管（32b）から流出した分岐冷媒は、エジェクタ機構（50）に引き込まれる。
【００９５】
図５に示すように、エジェクタ機構（50）では、圧縮機（11）から吐出された高圧の吐出冷媒が本体部（51）の内部流路（53）に流入する。該内部流路（53）に流入した吐出冷媒は、ノズル部（51a）において圧力エネルギの一部が速度エネルギに変換され、圧力が低下すると共に加速されてノズル部（51a）から噴射される。このようにして、ノズル部（51a）から噴射される際の吐出冷媒の圧力は、ノズル部（51a）流入時より低下している。このようなノズル部（51a）における吐出冷媒の圧力低下によって、分岐路（31）の分岐冷媒が接続部（52）の連通路（52a）を介して内部流路（53）に吸引される。つまり、分岐路（31）の分岐冷媒がノズル部（51a）の下流側端部から噴射される吐出冷媒に吸引されて合流する。合流後の吐出冷媒は、拡径部（51b）において速度エネルギの一部が圧力エネルギに変換され、減速すると共に圧力が上昇して、エジェクタ機構（50）から流出する。
【００９６】
以上のように、実施形態２によれば、分岐路（31）にエジェクタ機構（50）を設けることにより、ポンプ等の昇圧手段を設けることなく、簡単且つ低コストな構成で冷媒回路（2）から分岐路（31）に分岐された高圧の分岐冷媒を、再び冷媒回路（2）の上記圧縮機（11）の吐出側配管（11a）に戻すことができる。
【００９７】
《実施形態３》
図６及び図７に示すように、実施形態３は、実施形態１の空気調和装置（1）の冷媒回路（2）のブリッジ回路（16）を省略したものである。
【００９８】
具体的には、冷媒回路（2）は、圧縮機（11）、四路切換弁（12）、室外熱交換器（13）、室内熱交換器（14）及び膨張機構（15）を有している。また、冷媒回路（2）には、二酸化炭素（ＣＯ２）が冷媒として充填されている。
【００９９】
上記冷媒回路（2）に設けられた各要素は、実施形態１と同様に構成され、これらの接続態様が実施形態１と一部異なる。具体的には、実施形態１において冷媒配管によってブリッジ回路（16）に接続されていた室外熱交換器（13）及び室内熱交換器（14）が、膨張機構（15）を構成する膨張弁（15a）の一端と他端にそれぞれ冷媒配管によって接続されている。
【０１００】
また、実施形態３では、実施形態１と同様に構成された補助熱交換器（20）が、室外熱交換器（13）と膨張弁（15a）との間に接続されている。具体的には、冷却用部材（22）の冷媒管（22b）が、室外熱交換器（13）と膨張弁（15a）との間に接続されている。
【０１０１】
さらに、実施形態３においても、実施形態１と同様の要素を備えた冷却機構（30）が設けられている。実施形態３では、冷却機構（30）の分岐路（31）の一端が、室外熱交換器（13）と補助熱交換器（20）との間に接続されている。分岐路（31）の他端は、実施形態１と同様に、冷媒回路（2）の冷媒配管の一部である圧縮機（11）の吐出側配管（11a）に接続されている。
【０１０２】
−運転動作−
実施形態３においても、実施形態１と同様に、四路切換弁（12）の状態が切り換えられることによって冷媒回路（2）における冷媒の循環方向が切り換わる。これにより、空気調和装置（1）において、室外熱交換器（13）が放熱器として機能し且つ室内熱交換器（14）が蒸発器として機能する冷房運転と、室内熱交換器（14）が放熱器として機能し且つ室外熱交換器（13）が蒸発器として機能する暖房運転とが切り換えられる。
【０１０３】
《冷房運転》
図６に示すように、冷房運転の際には、四路切換弁（12）が第１の状態に切り換えられ、膨張弁（15a）の開度が適宜調節される。この状態で圧縮機（11）を駆動すると、冷媒回路（2）において冷媒が循環して蒸気圧縮式の冷凍サイクルが行われる。また、圧縮機（11）の駆動と共に、ペルチェ素子（21）に直流電流を供給すると共に、冷却機構（30）の冷媒ポンプ（33）を駆動する。
【０１０４】
冷房運転では、圧縮機（11）から吐出された吐出冷媒は、四路切換弁（12）を通って室外熱交換器（13）に流入する。室外熱交換器（13）に流入した上記吐出冷媒は、室外熱交換器（13）において室外空気と熱交換を行い、室外空気に対して放熱する。
【０１０５】
室外熱交換器（13）において放熱後、該室外熱交換器（13）から流出した高圧冷媒は、上記冷媒ポンプ（33）の駆動によって一部が分岐されて分岐路（31）に流入する一方、残りは補助熱交換器（20）の冷却用部材（22）の冷媒管（22b）に流入する。
【０１０６】
ところで、上記ペルチェ素子（21）には、実施形態１と同様に直流電流が供給され、第１伝熱部（21a）が吸熱側となり、第２伝熱部（21b）が発熱側となっている。これにより、補助熱交換器（20）の冷媒管（22b）に流入した高圧冷媒は、第１伝熱部（21a）によって冷却される。そして、第１伝熱部（21a）によって冷却された高圧冷媒は、冷媒管（22b）から流出して膨張弁（15a）に流入する。
【０１０７】
一方、上記分岐路（31）へ流入した高圧の分岐冷媒は、冷媒ポンプ（33）に吸入される。該冷媒ポンプ（33）に吸入された分岐冷媒は、実施形態１と同様に所定圧力だけ昇圧されて冷媒冷却器（32）の冷媒管（32b）に流入する。該冷媒冷却器（32）の冷媒管（32b）に流入した分岐冷媒は、第２伝熱部（21b）を冷却する。一方、冷媒管（32b）の分岐冷媒は、第２伝熱部（21b）によって加熱される。そして、第２伝熱部（21b）によって加熱された分岐冷媒は、冷媒管（32b）から流出して圧縮機（11）の吐出側配管（11a）に流入する。
【０１０８】
上記膨張弁（15a）に流入した高圧冷媒は、該膨張弁（15a）において減圧されて低圧冷媒となり、冷媒配管を介して室内熱交換器（14）に流入する。
【０１０９】
室内熱交換器（14）に流入した低圧冷媒は、室内空気と熱交換を行い、室内空気から吸熱して蒸発する。室内熱交換器（14）において低圧冷媒に吸熱されて冷却された室内空気は、室内へ送り返される。一方、室内熱交換器（14）において蒸発した低圧ガス冷媒は、室内熱交換器（14）から流出してアキュムレータ（25）及び四路切換弁（12）を通過した後、再び圧縮機（11）に吸入される。圧縮機（11）に吸入された低圧ガス冷媒は、臨界圧力以上の高圧圧力状態になるまで圧縮されて圧縮機（11）から吐出される。
【０１１０】
《暖房運転》
図７に示すように、暖房運転の際には、四路切換弁（12）が第２の状態に切り換えられ、膨張弁（15a）の開度が適宜調節される。この状態で圧縮機（11）を駆動すると、冷媒回路（2）において冷媒が循環して蒸気圧縮式の冷凍サイクルが行われる。なお、暖房運転の際には、ペルチェ素子（21）に直流電流を供給せず、冷却機構（30）の冷媒ポンプ（33）も駆動しない。
【０１１１】
暖房運転では、圧縮機（11）から吐出された高圧の吐出冷媒は、四路切換弁（12）を通って室内熱交換器（14）に流入する。室内熱交換器（14）に流入した上記吐出冷媒は、室内熱交換器（14）において室内空気と熱交換を行い、室内空気に対して放熱する。室内熱交換器（14）において吐出冷媒から放出された熱を吸収して加熱された室内空気は、室内へ送り返される。
【０１１２】
室内熱交換器（14）において放熱後、室内熱交換器（14）から流出した高圧冷媒は、膨張弁（15a）に流入する。該膨張弁（15a）に流入した高圧冷媒は、該膨張弁（15a）において減圧されて低圧冷媒となって、補助熱交換器（20）の冷却用部材（22）の冷媒管（22b）に流入する。
【０１１３】
なお、上述のように、暖房運転の際には、ペルチェ素子（21）に直流電流を供給しない。そのため、冷媒管（22b）に流入した低圧冷媒は、ペルチェ素子（21）の第１伝熱部（21a）によって冷却されることなく、そのまま冷媒管（22b）から流出する。
【０１１４】
また、上述のように、暖房運転の際には、冷媒ポンプ（33）が駆動されない。そのため、冷媒管（22b）から流出した低圧冷媒は、分岐路（31）に流入することなく、室外熱交換器（13）に流入する。
【０１１５】
室外熱交換器（13）に流入した低圧冷媒は、室外空気と熱交換を行い、室外空気から吸熱して蒸発する。室外熱交換器（13）において蒸発した低圧ガス冷媒は、室外熱交換器（13）から流出してアキュムレータ（25）及び四路切換弁（12）を通過した後、再び圧縮機（11）に吸入される。圧縮機（11）に吸入された低圧ガス冷媒は、臨界圧力以上の高圧圧力状態になるまで圧縮されて圧縮機（11）から吐出される。
【０１１６】
以上のように、実施形態３によれば、冷房運転の際において、実施形態１と同様の効果を奏することができる。
【０１１７】
《実施形態４》
図８及び図９に示すように、実施形態４は、実施形態３の空気調和装置（1）の冷却機構（30）の構成を変更したものである。その他の構成は、実施形態３と同様である。
【０１１８】
具体的には、実施形態４では、冷却機構（30）は、分岐路（31）と、冷媒冷却器（32）と、流量調整弁（34）と、エジェクタ機構（50）とが設けられている。分岐路（31）及び冷媒冷却器（32）は、実施形態３と同様に構成されている。流量調整弁（34）及びエジェクタ機構（50）は、実施形態２と同様に構成されている。
【０１１９】
運転動作については、分岐路（31）における冷媒の動作が異なる以外は実施形態３とほぼ同様である。また、分岐路（31）における冷媒の動作は実施形態２と同様である。なお、図８は冷房運転の際、図９は暖房運転の際の冷媒の流れをそれぞれ示している。実施形態４では、冷房運転の際には、流量調整弁（34）の開度が適宜調節され、放熱後の高圧冷媒の一部が分岐路（31）に流入するが、暖房運転の際には、流量調整弁（34）が全閉状態に開度調節されるため、低圧冷媒は分岐路（31）に流入しない。
【０１２０】
このような実施形態４によっても、圧縮機（11）の吐出側にエジェクタ機構（50）を設けることにより、ポンプ等の昇圧手段を設けることなく、簡単且つ低コストな構成で冷媒回路（2）から分岐路（31）に分岐された高圧の分岐冷媒を、再び冷媒回路（2）の上記圧縮機（11）の吐出側配管（11a）に戻すことができる。
【０１２１】
《実施形態５》
図１０及び図１１に示すように、実施形態５は、実施形態１の空気調和装置（1）の冷媒回路（2）のブリッジ回路（16）を省略し、膨張機構（15）の構成を変更したものである。
【０１２２】
具体的には、冷媒回路（2）は、圧縮機（11）、四路切換弁（12）、室外熱交換器（13）、室内熱交換器（14）及び膨張機構（15）を有している。また、冷媒回路（2）には、二酸化炭素（ＣＯ２）が冷媒として充填されている。
【０１２３】
実施形態５では、膨張機構（15）は、第１膨張弁（15b）と第２膨張弁（15c）とを備えている。上記冷媒回路（2）に設けられた各要素は、上記膨張機構（15）以外は実施形態１と同様に構成され、これらの接続態様が実施形態１と一部異なる。具体的には、実施形態５では、室外熱交換器（13）が冷媒配管によって第１膨張弁（15b）の一端に接続され、該第１膨張弁（15b）の他端が冷媒配管によって第２膨張弁（15c）の一端に接続され、該第２膨張弁（15c）の他端が冷媒配管によって室内熱交換器（14）の一端に接続されている。
【０１２４】
また、実施形態５では、実施形態１と同様に構成された補助熱交換器（20）が、第１膨張弁（15b）と第２膨張弁（15c）との間に接続されている。具体的には、冷却用部材（22）の冷媒管（22b）が、第１膨張弁（15b）と第２膨張弁（15c）との間に接続されている。
【０１２５】
さらに、実施形態５においても、実施形態１と同様の要素を備えた冷却機構（30）が設けられている。実施形態５では、冷却機構（30）の分岐路（31）の一端が、第１膨張弁（15b）と補助熱交換器（20）との間に接続されている。分岐路（31）の他端は、実施形態１と同様に、冷媒回路（2）の冷媒配管の一部である圧縮機（11）の吐出側配管（11a）に接続されている。
【０１２６】
−運転動作−
実施形態５においても、実施形態１と同様に、四路切換弁（12）の状態が切り換えられることによって冷媒回路（2）における冷媒の循環方向が切り換わる。これにより、空気調和装置（1）において、室外熱交換器（13）が放熱器として機能し且つ室内熱交換器（14）が蒸発器として機能する冷房運転と、室内熱交換器（14）が放熱器として機能し且つ室外熱交換器（13）が蒸発器として機能する暖房運転とが切り換えられる。
【０１２７】
《冷房運転》
図１０に示すように、冷房運転の際には、四路切換弁（12）が第１の状態に切り換えられ、第１膨張弁（15b）が全開状態に調節されると共に、第２膨張弁（15c）の開度が適宜調節される。この状態で圧縮機（11）を駆動すると、冷媒回路（2）において冷媒が循環して蒸気圧縮式の冷凍サイクルが行われる。また、圧縮機（11）の駆動と共に、ペルチェ素子（21）に直流電流を供給すると共に、冷却機構（30）の冷媒ポンプ（33）を駆動する。
【０１２８】
冷房運転では、圧縮機（11）から吐出された高圧の吐出冷媒は、四路切換弁（12）を通って室外熱交換器（13）に流入する。室外熱交換器（13）に流入した上記吐出冷媒は、室外熱交換器（13）において室外空気と熱交換を行い、室外空気に対して放熱する。
【０１２９】
室外熱交換器（13）において放熱した高圧冷媒は、室外熱交換器（13）から流出して、第１膨張弁（15b）を通過する。このとき、第１膨張弁（15b）は全開状態に調節されているため、通過する高圧冷媒は、第１膨張弁（15b）において減圧されない。そして、第１膨張弁（15b）を通過した高圧冷媒は、上記冷媒ポンプ（33）の駆動によって一部が分岐されて分岐路（31）に流入する一方、残りは補助熱交換器（20）の冷却用部材（22）の冷媒管（22b）に流入する。
【０１３０】
ところで、上記ペルチェ素子（21）には、実施形態１と同様に直流電流が供給され、第１伝熱部（21a）が吸熱側となり、第２伝熱部（21b）が発熱側となっている。これにより、補助熱交換器（20）の冷媒管（22b）に流入した高圧冷媒は、第１伝熱部（21a）によって冷却される。そして、第１伝熱部（21a）によって冷却された高圧冷媒は、冷媒管（22b）から流出して第２膨張弁（15c）に流入する。
【０１３１】
一方、上記分岐路（31）へ流入した高圧の分岐冷媒は、冷媒ポンプ（33）に吸入される。該冷媒ポンプ（33）に吸入された分岐冷媒は、実施形態１と同様に所定圧力だけ昇圧されて冷媒冷却器（32）の冷媒管（32b）に流入する。該冷媒冷却器（32）の冷媒管（32b）に流入した分岐冷媒は、第２伝熱部（21b）を冷却する。一方、冷媒管（32b）の分岐冷媒は、第２伝熱部（21b）によって加熱される。そして、第２伝熱部（21b）によって加熱された分岐冷媒は、冷媒管（32b）から流出して圧縮機（11）の吐出側配管（11a）に流入する。
【０１３２】
上記第２膨張弁（15c）に流入した高圧冷媒は、該第２膨張弁（15c）において減圧されて低圧冷媒となり、冷媒配管を介して室内熱交換器（14）に流入する。
【０１３３】
室内熱交換器（14）に流入した低圧冷媒は、室内空気と熱交換を行い、室内空気から吸熱して蒸発する。室内熱交換器（14）において低圧冷媒に吸熱されて冷却された室内空気は、室内へ送り返される。一方、室内熱交換器（14）において蒸発した低圧ガス冷媒は、室内熱交換器（14）から流出してアキュムレータ（25）及び四路切換弁（12）を通過した後、再び圧縮機（11）に吸入される。圧縮機（11）に吸入された低圧ガス冷媒は、臨界圧力以上の高圧圧力状態になるまで圧縮されて圧縮機（11）から吐出される。
【０１３４】
《暖房運転》
図１１に示すように、暖房運転の際には、四路切換弁（12）が第２の状態に切り換えられ、第１膨張弁（15b）の開度が適宜調節されると共に、第２膨張弁（15c）が全開状態に調整される。この状態で圧縮機（11）を駆動すると、冷媒回路（2）において冷媒が循環して蒸気圧縮式の冷凍サイクルが行われる。また、圧縮機（11）の駆動と共に、ペルチェ素子（21）に直流電流を供給すると共に、冷却機構（30）の冷媒ポンプ（33）を駆動する。
【０１３５】
暖房運転では、圧縮機（11）から吐出された高圧の吐出冷媒は、四路切換弁（12）を通って室内熱交換器（14）に流入する。室内熱交換器（14）に流入した上記吐出冷媒は、室内熱交換器（14）において室内空気と熱交換を行い、室内空気に対して放熱する。室内熱交換器（14）において吐出冷媒から放出された熱を吸収して加熱された室内空気は、室内へ送り返される。
【０１３６】
室内熱交換器（14）において放熱後、室内熱交換器（14）から流出した高圧冷媒は、第２膨張弁（15c）を通過する。このとき、第２膨張弁（15c）は全開状態に調節されているため、通過する高圧冷媒は、第２膨張弁（15c）において減圧されない。そして、第２膨張弁（15c）を通過した高圧冷媒は、補助熱交換器（20）の冷却用部材（22）の冷媒管（22b）に流入する。
【０１３７】
ところで、上記ペルチェ素子（21）には、実施形態１と同様に直流電流が供給され、第１伝熱部（21a）が吸熱側となり、第２伝熱部（21b）が発熱側となっている。これにより、補助熱交換器（20）の冷媒管（22b）に流入した高圧冷媒は、第１伝熱部（21a）によって冷却される。そして、冷媒管（22b）から流出した高圧冷媒は、上記冷媒ポンプ（33）の駆動によって一部が分岐されて分岐路（31）に流入する一方、残りは第１膨張弁（15b）に流入する。
【０１３８】
分岐路（31）へ流入した高圧の分岐冷媒は、冷媒ポンプ（33）に吸入される。該冷媒ポンプ（33）に吸入された分岐冷媒は、実施形態１と同様に所定圧力だけ昇圧されて冷媒冷却器（32）の冷媒管（32b）に流入する。該冷媒冷却器（32）の冷媒管（32b）に流入した分岐冷媒は、第２伝熱部（21b）を冷却する。一方、冷媒管（32b）の分岐冷媒は、第２伝熱部（21b）によって加熱される。そして、第２伝熱部（21b）によって加熱された分岐冷媒は、冷媒管（32b）から流出して圧縮機（11）の吐出側配管（11a）に流入する。
【０１３９】
上記第１膨張弁（15b）に流入した高圧冷媒は、該第１膨張弁（15b）において減圧されて低圧冷媒となり、冷媒配管を介して室外熱交換器（13）に流入する。
【０１４０】
室外熱交換器（13）に流入した低圧冷媒は、室外空気と熱交換を行い、室外空気から吸熱して蒸発する。室外熱交換器（13）において蒸発した低圧ガス冷媒は、室外熱交換器（13）から流出してアキュムレータ（25）及び四路切換弁（12）を通過した後、再び圧縮機（11）に吸入される。圧縮機（11）に吸入された低圧ガス冷媒は、臨界圧力以上の高圧圧力状態になるまで圧縮されて圧縮機（11）から吐出される。
【０１４１】
以上のように、実施形態５によっても、実施形態１と同様の効果を奏することができる。
【０１４２】
《実施形態６》
図１２及び図１３に示すように、実施形態６は、実施形態５の空気調和装置（1）の冷却機構（30）の構成を変更したものである。その他の構成は、実施形態５と同様である。
【０１４３】
具体的には、実施形態６では、冷却機構（30）は、分岐路（31）と、冷媒冷却器（32）と、流量調整弁（34）と、エジェクタ機構（50）とが設けられている。分岐路（31）及び冷媒冷却器（32）は、実施形態５と同様に構成されている。流量調整弁（34）及びエジェクタ機構（50）は、実施形態２と同様に構成されている。
【０１４４】
運転動作については、分岐路（31）における冷媒の動作が異なる以外は実施形態５とほぼ同様である。また、分岐路（31）における冷媒の動作は実施形態２と同様である。なお、図１２は冷房運転の際、図１３は暖房運転の際の冷媒の流れをそれぞれ示している。実施形態６では、冷房運転の際にも暖房運転の際にも流量調整弁（34）の開度が適宜調節され、放熱後の高圧冷媒の一部が分岐路（31）に流入する。
【０１４５】
このような実施形態６によっても、圧縮機（11）の吐出側にエジェクタ機構（50）を設けることにより、ポンプ等の昇圧手段を設けることなく、簡単且つ低コストな構成で冷媒回路（2）から分岐路（31）に分岐された高圧の分岐冷媒を、再び冷媒回路（2）の上記圧縮機（11）の吐出側配管（11a）に戻すことができる。
【０１４６】
《実施形態７》
図１４に示すように、実施形態７では、本発明に係る冷凍装置の一例として、給湯装置（71）について説明する。上記給湯装置（71）は、冷媒を循環させて蒸気圧縮式の冷凍サイクルを行う冷媒回路（72）と、水が流通する水流路（80）とを備えている。
【０１４７】
上記冷媒回路（72）は、圧縮機（11）、放熱器（74）、膨張機構（15）及び蒸発器（76）を有している。また、冷媒回路（72）には、二酸化炭素（ＣＯ２）が冷媒として充填されている。
【０１４８】
上記圧縮機（11）は、冷媒配管によって、吐出側が放熱器（74）の後述する第１流路（74a）に接続される一方、吸入側が蒸発器（76）に接続されている。なお、本実施形態では、圧縮機（11）の吸入側と蒸発器（76）との間にアキュムレータ（25）が設けられている。該アキュムレータ（25）は、圧縮機（11）に吸入される冷媒中に含まれる液冷媒を除去し、ガス冷媒のみを圧縮機（11）に吸入させる。また、本実施形態においても、圧縮機（11）に吸入された冷媒（二酸化炭素（ＣＯ２））は、圧縮機（11）において臨界圧力以上の圧力に圧縮される。
【０１４９】
上記放熱器（74）は、水冷式の熱交換器によって構成されている。具体的には、放熱器（74）は、冷媒回路（72）の冷媒が流通する第１流路（74a）と、水流路（80）の水が流通する第２流路（74b）とを有し、第１流路（74a）の冷媒と第２流路（74b）の水との間で熱交換が行われるように構成されている。第１流路（74a）は、上述のように上流側端が冷媒配管によって上記圧縮機（11）の吐出側に接続される一方、下流側端が冷媒配管によって膨張機構（15）に接続されている。本実施形態では、放熱器（74）は、第１流路（74a）の冷媒と第２流路（74b）の水が対向して流れるように構成されている。
【０１５０】
上記膨張機構（15）は、放熱器（74）と蒸発器（76）との間に設けられ、膨張弁（75）によって構成されている。該膨張弁（75）は、開度が調節可能に構成された電動弁によって構成され、冷媒回路（72）の蒸発圧力が所定の圧力になるように開度調節される。膨張弁（75）は、流入端が冷媒配管によって放熱器（74）に接続される一方、流出端が冷媒配管によって蒸発器（76）に接続されている。
【０１５１】
上記蒸発器（76）は、空冷式の熱交換器によって構成されている。蒸発器（76）には、図示を省略するファンによって空気が供給され、蒸発器（76）では、供給された空気と冷媒回路（72）の冷媒との間において熱交換が行われる。上述のように、蒸発器（76）は、流入側端が冷媒配管によって膨張弁（75）の流出側端に接続され、流出側端が冷媒配管によって圧縮機（11）の吸入側に接続されている。
【０１５２】
また、実施形態７では、実施形態１と同様に構成された補助熱交換器（20）が、上記冷媒回路（72）の放熱器（74）と膨張弁（75）との間に接続されている。具体的には、冷却用部材（22）の冷媒管（22b）が、放熱器（74）と膨張弁（75）との間に接続されている。
【０１５３】
さらに、実施形態７においても、実施形態１と同様の要素を備えた冷却機構（30）が設けられている。実施形態７では、冷却機構（30）の分岐路（31）の一端が、上記冷媒回路（72）の放熱器（74）と補助熱交換器（20）との間に接続されている。分岐路（31）の他端は、実施形態１と同様に、冷媒回路（72）の冷媒配管の一部である圧縮機（11）の吐出側配管（11a）に接続されている。
【０１５４】
上記水流路（80）には、図示を省略しているが、水流路（80）に水を供給する給水源と、水流路（80）を流通後の水が貯留される貯留タンクとが接続されている。上記放熱器（74）の第２流路（74b）は、上記水流路（80）において給水源と貯留タンクとの間に接続されている。
【０１５５】
−運転動作−
図１４に示すように、圧縮機（11）を駆動すると、冷媒回路（72）において冷媒が循環して蒸気圧縮式の冷凍サイクルが行われる。また、圧縮機（11）の駆動と共に、ペルチェ素子（21）に直流電流を供給すると共に、冷却機構（30）の冷媒ポンプ（33）を駆動する。一方、水流路（80）では、例えば、ポンプ等を用いて水を流動させる。
【０１５６】
冷媒回路（72）では、圧縮機（11）から吐出された高圧の吐出冷媒は、放熱器（74）の第１流路（74a）に流入する。第１流路（74a）に流入した上記吐出冷媒は、放熱器（74）において、第２流路（74b）を流れる水流路（80）の水と熱交換を行う。具体的には、
第１流路（74a）に流入した吐出冷媒が、第２流路（74b）を流れる水流路（80）の水に放熱する。
【０１５７】
ここで、第２流路（74b）を流れる水流路（80）の水は、放熱器（74）において第１流路（74a）を流れる吐出冷媒から放出された熱によって加熱されて温水となる。そして、該温水は、水流路（80）を流れて貯留タンクに供給される。
【０１５８】
一方、冷媒回路（72）において、第１流路（74a）から流出した高圧冷媒は、上記冷媒ポンプ（33）の駆動によって一部が分岐されて分岐路（31）に流入する一方、残りは補助熱交換器（20）の冷却用部材（22）の冷媒管（22b）に流入する。
【０１５９】
ところで、上記ペルチェ素子（21）には、実施形態１と同様に直流電流が供給され、第１伝熱部（21a）が吸熱側となり、第２伝熱部（21b）が発熱側となっている。これにより、補助熱交換器（20）の冷媒管（22b）に流入した高圧冷媒は、第１伝熱部（21a）によって冷却される。そして、第１伝熱部（21a）によって冷却された高圧冷媒は、冷媒管（22b）から流出して膨張弁（75）に流入する。
【０１６０】
一方、分岐路（31）へ流入した高圧の分岐冷媒は、冷媒ポンプ（33）に吸入される。該冷媒ポンプ（33）に吸入された分岐冷媒は、実施形態１と同様に所定圧力だけ昇圧されて冷媒冷却器（32）の冷媒管（32b）に流入する。該冷媒冷却器（32）の冷媒管（32b）に流入した分岐冷媒は、第２伝熱部（21b）を冷却する。一方、冷媒管（32b）の分岐冷媒は、第２伝熱部（21b）によって加熱される。そして、第２伝熱部（21b）によって加熱された分岐冷媒は、冷媒管（32b）から流出して圧縮機（11）の吐出側配管（11a）に流入する。
【０１６１】
上記膨張弁（75）に流入した高圧冷媒は、該膨張弁（75）において減圧されて低圧冷媒となり、冷媒配管を介して蒸発器（76）に流入する。
【０１６２】
蒸発器（76）に流入した低圧冷媒は、該蒸発器（76）を通過する空気と熱交換を行い、該空気から吸熱して蒸発する。蒸発器（76）において蒸発した低圧ガス冷媒は、蒸発器（76）から流出してアキュムレータ（25）を通過した後、再び圧縮機（11）に吸入される。圧縮機（11）に吸入された低圧ガス冷媒は、臨界圧力以上の高圧圧力状態になるまで圧縮されて圧縮機（11）から吐出される。
【０１６３】
以上のように、上記実施形態７においても、実施形態１の暖房運転時と同様に、給湯装置（71）の加熱能力及び加熱効率の向上を図ることができる。
【０１６４】
《実施形態８》
図１５に示すように、実施形態８は、実施形態７の給湯装置（71）の冷却機構（30）の構成を変更したものである。その他の構成は、実施形態７と同様である。
【０１６５】
具体的には、実施形態８では、冷却機構（30）は、分岐路（31）と、冷媒冷却器（32）と、流量調整弁（34）と、エジェクタ機構（50）とが設けられている。分岐路（31）及び冷媒冷却器（32）は、実施形態７と同様に構成されている。流量調整弁（34）及びエジェクタ機構（50）は、実施形態２と同様に構成されている。
【０１６６】
運転動作については、分岐路（31）における冷媒の動作が異なる以外は実施形態７とほぼ同様である。また、分岐路（31）における冷媒の動作は実施形態２と同様である。
【０１６７】
このような実施形態８によっても、圧縮機（11）の吐出側にエジェクタ機構（50）を設けることにより、ポンプ等の昇圧手段を設けることなく、簡単且つ低コストな構成で冷媒回路（72）から分岐路（31）に分岐された高圧の分岐冷媒を、再び冷媒回路（72）の上記圧縮機（11）の吐出側配管（11a）に戻すことができる。
【０１６８】
《その他の実施形態》
上記実施形態１乃至実施形態６では、空気調和装置（1）は、冷房運転及び暖房運転が切換可能に構成されていたが、冷房運転のみ又は暖房運転のみを行うように構成されていてもよい。
【０１６９】
また、本発明に係る冷凍装置は、上記空気調和装置（1）や上記給湯装置（71）に限定されず、例えば、上記実施形態７の蒸発器（76）を利用側熱交換器として用いて水や空気等の流体を冷却する冷却装置であってもよい。
【０１７０】
上記各実施形態では、冷媒回路（2,72）に二酸化炭素が冷媒として充填されていたが、冷媒は二酸化炭素に限られない。例えば、ＨＦＣ系の冷媒を用いることとしてもよい。
【０１７１】
なお、以上の実施形態は、本質的に好ましい例示であって、本発明、その適用物、あるいはその用途の範囲を制限することを意図するものではない。
【産業上の利用可能性】
【０１７２】
以上説明したように、本発明は、冷凍装置について有用である。
【符号の説明】
【０１７３】
１      空気調和装置（冷凍装置）
２      冷媒回路
１１      圧縮機
１１ａ    吐出側配管
１３      室外熱交換器（熱源側熱交換器）
１４      室内熱交換器（利用側熱交換器）
１５      膨張機構
２１      ペルチェ素子
２１ａ    第１伝熱部
２１ｂ    第２伝熱部
３０      冷却機構
３３      冷媒ポンプ（ポンプ機構）
５０      エジェクタ機構
５１ａ    ノズル部
７１      給湯装置（冷凍装置）
７２      冷媒回路
７４      放熱器
７６      蒸発器
【図１】
0005625734.tif 000002
【図２】
0005625734.tif 000003
【図３】
0005625734.tif 000004
【図４】
0005625734.tif 000005
【図５】
0005625734.tif 000006
【図６】
0005625734.tif 000007
【図７】
0005625734.tif 000008
【図８】
0005625734.tif 000009
【図９】
0005625734.tif 000010
【図１０】
0005625734.tif 000011
【図１１】
0005625734.tif 000012
【図１２】
0005625734.tif 000013
【図１３】
0005625734.tif 000014
【図１４】
0005625734.tif 000015
【図１５】
0005625734.tif 000016